(57)【特許請求の範囲】
【請求項１】
電子マネーが組み込まれこの電子マネーにより自動販売機から商品を購入するとともに前記商品の購入によって獲得されるキャンペーン応募資格に基づいてキャンペーンに申込むことのできる携帯電話と、前記携帯電話からの信号を受けて所望の商品を払い出す自動販売機と、前記携帯電話との間で通信ネットワークを介した情報の送受信等を制御する商品情報管理サーバーを有する商品情報管理システムとを備え、
前記携帯電話は、前記電子マネーにより購入された商品の量を含む商品情報及び顧客の電話番号を含む個人別情報を前記通信ネットワークを介して前記商品情報管理サーバーに送信する手段を有し、
前記商品情報管理サーバーは、前記携帯電話から前記通信ネットワークを介して送信されてくる前記商品情報及び個人別情報を収集するとともに商品情報データベースに蓄積して登録する手段と、前記商品情報データベースに蓄積された前記商品情報及び個人別情報に基づいて前記キャンペーンの期間中に顧客が購入した商品が規定量を超えたか否かを判定するとともに、前記規定量を超えたと判定した顧客で且つキャンペーン参加の意志を確認するメール情報に基づいて前記意志を確認した顧客を対象として自動抽選を実施する手段とを有することを特徴とする、携帯電話による消費者キャンペーン自動応募システム。
【請求項２】
電子マネーが組み込まれこの電子マネーにより自動販売機から商品を購入するとともに前記商品の購入によって獲得されるキャンペーン応募資格に基づいてキャンペーンに申込むことのできる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに前記携帯電話より受けた申込みに基づいて自動抽選を実施する商品情報管理サーバーを有する商品情報管理システムとを備えた携帯電話による消費者キャンペーン自動応募システムにおいて、
前記携帯電話が前記自動販売機より商品を購入すると同時に、購入された商品の量を含む商品情報と顧客の電話番号を含む個人別情報を前記通信ネットワークを介して前記商品情報管理サーバーへ送信し、
前記商品情報管理サーバーは前記携帯電話から送信された前記商品情報及び個人別情報を収集し、前記商品情報データベースに蓄積して登録し、
前記商品情報管理サーバーは、前記商品情報データベースに蓄積された前記商品情報及び個人別情報に基づいて、キャンペーン期間中に規定数まで商品を購入した顧客を前記キャンペーン応募資格の獲得者として判定するとともに、前記応募資格の獲得者として判定した顧客の携帯電話に、キャンペーン応募資格獲得の連絡をメール情報によって送信し、
前記キャンペーン応募資格獲得メールを受け取った前記携帯電話がキャンペーン応募メールを返信し、
前記キャンペーン応募メールを受信した顧客を対象として前記商品情報管理サーバーが自動抽選を行い、
前記商品情報管理サーバーが前記自動抽選の結果としてのキャンペーンの当選・落選の連絡をメール情報にて前記携帯電話に送信する
ことを特徴とする、携帯電話による消費者キャンペーン自動応募方法。
【請求項３】
電子マネーが組み込まれこの電子マネーにより自動販売機から商品を購入するとともに前記商品の購入によって獲得されるキャンペーン応募資格に基づいてキャンペーンに応募することのできる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに前記携帯電話より受けた申込みに基づいて自動抽選を実施する商品情報管理サーバーを有する商品情報管理システムと、前記携帯電話を用いて前記電子マネーにより購入された商品の購入代金の決済を行う決済機関とを備えた携帯電話による消費者キャンペーン自動応募システムにおいて、
前記携帯電話が自動販売機より商品を購入すると、購入された商品の決済情報、前記購入された商品の量を含む商品情報及び顧客の電話番号を含む個人別情報を前記決済機関へ送信し、
前記決済機関は、前記商品情報及び個人別情報を前記商品情報管理サーバーへ送信し、
前記商品情報管理サーバーは、前記決済機関から送信された前記商品情報及び個人別情報を収集し、前記商品情報データベースに蓄積して登録し、
前記商品情報管理サーバーは、前記商品情報データベースに蓄積された前記商品情報及び個人別情報に基づいて、キャンペーン期間中に商品購入量が規定数を超えた顧客を前記キャンペーン応募資格の獲得者として判定するとともに、前記応募資格の獲得者として判定した顧客の携帯電話に、キャンペーン応募資格獲得の連絡をメール情報によって送信し、
前記キャンペーン応募資格獲得メールを受け取った前記携帯電話がキャンペーン応募メールを返信し、
前記キャンペーン応募メールを受信した顧客を対象として前記商品情報管理サーバーが自動抽選を行い、
前記商品情報管理サーバーが前記自動抽選の結果としてのキャンペーンの当選・落選の連絡をメール情報にて顧客の携帯電話に送信する
ことを特徴とする、携帯電話による消費者キャンペーン自動応募方法。
【請求項４】
電子マネーが組み込まれこの電子マネーにより自動販売機から商品を購入するとともに前記商品の購入によって獲得されるキャンペーン応募資格に基づいてキャンペーンに自動応募することのできる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに前記携帯電話より受けた申込みに基づいて自動抽選を実施する商品情報管理サーバーを有する商品情報管理システムと、前記携帯電話を用いて前記電子マネーにより購入された商品の購入代金の決済を行う決済機関とを備えた携帯電話による消費者キャンペーン自動応募システムにおいて、
前記携帯電話が前記自動販売機よりキャンペーン対象商品を購入し、
前記キャンペーン対象商品を購入した前記携帯電話が前記キャンペーン対象商品の量を含む商品情報及び顧客の電話番号を含む個人別情報を前記決済機関へ送信し、
前記商品情報及び個人別情報を受信した前記決済機関は前記商品情報及び前記個人別情報を収集した後、前記商品情報管理サーバーへ商品情報及び個人別情報を送信し、
前記商品情報管理サーバーは、前記決済機関から送信された商品情報及び個人別情報を収集し、前記商品情報データベースに蓄積して登録し、
前記商品情報管理サーバーは、前記商品情報データベースに蓄積された前記商品情報及び個人別情報に基づいて、前記携帯電話が購入した商品の購入量が規定数を超えたか否かを判定し、前記規定数を超えると自動的にキャンペーン応募を完了して前記携帯電話より受けた申込みに基づいて自動抽選を実施し、
前記商品情報管理サーバーが前記自動抽選の結果としてのキャンペーンの当選・落選の連絡をメール情報にて前記携帯電話に送信する
ことを特徴とする、携帯電話による消費者キャンペーン自動応募方法。
【請求項５】
電子マネーが組み込まれこの電子マネーにより自動販売機から商品を購入できる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに蓄積された前記商品情報及び個人別情報に基づいて自動抽選を実施する商品情報管理サーバーを有する商品情報管理システムとを備えた携帯電話による消費者キャンペーン自動応募システムにおいて、
前記商品情報管理システムは前記携帯電話が前記自動販売機より商品を購入する前に、前記携帯電話の所有者のキャンペーンに応募する意志に関するキャンペーン応募情報を事前に前記商品情報管理システムに登録し、
前記携帯電話が前記自動販売機より商品を購入すると同時に、購入された商品の量を含む商品情報及び顧客の電話番号を含む個人別情報を前記商品情報管理サーバーへ送信し、
前記商品情報管理サーバーは送信された商品別販売データである顧客別購入情報を収集し、前記商品情報データベースに蓄積して登録し、
前記商品情報管理サーバーは、前記商品情報データベースに蓄積された前記商品情報及び個人別情報に基づいて、前記携帯電話が購入した商品の購入量が規定数を超えたか否かを判定し、前記規定数を超えると自動的にキャンペーン応募を完了するとともに自動抽選を実施し、
前記商品情報管理サーバーは前記抽選の結果としてのキャンペーンの当選・落選の連絡をメール情報にて前記携帯電話に送信する
ことを特徴とする、携帯電話による消費者キャンペーン自動応募方法。
【発明の詳細な説明】
【０００１】
【発明の属する技術分野】
本発明は、携帯電話を使用して自動販売機より商品購入時における、携帯電話による消費者キャンペーン自動応募方法に関するものであり、特に携帯電話を用いることによって、硬貨投入せずに、電子マネーにより自動販売機より商品を購入する場合、その一連の電子データを消費者キャンペーンへの応募に活用することができる、携帯電話による消費者キャンペーン自動応募方法に関するものである。
【０００２】
【従来の技術】
自動販売機は誰でも何処でも必要とする商品を購入できるという利便性により、屋内外を問わずあらゆる場所に多数設置され、その発展は著しいものがある。また携帯電話も小型で常に携帯できるので、何処からでも人とコミュニケーションがとれるので、その普及はめざましいものがある。
【０００３】
このようなパーソナル情報機器として身近な携帯電話に、貨幣価値を電子的な信号に置き換えた電子マネーを財布代わりとして使用するシステムは、海外で一部テストされ、国内でも検討されている。そして海外では、このような電子マネーが組み込まれた携帯電話を使用して自動販売機から商品を購入するシステムは実用化されているが、国内では、携帯電話での決済機能及びセキュリティについて研究中であるが、早晩実用化されることが期待されている。
【０００４】
【発明が解決しようとする課題】
ところで、従来消費者キャンペーンに応募する場合、販売されたキャンペーン対象の商品缶等に貼付されているシール等を収集し、別途応募台紙に貼り付けるという面倒な作業が発生すると同時に応募用紙には必要事項を記入しなければならないという作業もあり、その手間を嫌って応募を躊躇することがある。
【０００５】
また従来の消費者キャンペーンの告知媒体は、テレビ・ラジオのコマーシャルやポスター等に限定されており、これらの告知媒体は、多額な費用を要し効率も悪いという欠点がある。
【０００６】
またキャンペーン期間中、回収された応募用紙の集計・分析及び当選者選別作業に人的・時間的コストが掛かるという不都合がある。
【０００７】
本発明は、上述のような事情からなされたものであり、本発明の目的は、携帯電話を用いることによって、硬貨投入せずに、電子マネーにより自動販売機より商品を購入する場合、その一連の電子データを消費者キャンペーンへの応募に活用して、キャンペーンに簡単に応募できかつ費用も要せず効率的な携帯電話による消費者キャンペーン自動応募方法を提供することである。
【０００８】
【課題を解決するための手段】
本発明は、携帯電話を使用して自動販売機より商品購入時における、携帯電話による消費者キャンペーン自動応募システムと方法に関するものであって、本発明の上記目的は、システムの発明に関しては、電子マネーが組み込まれこの電子マネーにより自動販売機から商品を購入するとともに前記商品の購入によって獲得されるキャンペーン応募資格に基づいてキャンペーンに申込むことのできる携帯電話と、前記携帯電話からの信号を受けて所望の商品を払い出す自動販売機と、前記携帯電話との間で通信ネットワークを介した情報の送受信等を制御する商品情報管理サーバーを有する商品情報管理システムとを備え、前記携帯電話は、前記電子マネーにより購入された商品の量を含む商品情報及び顧客の電話番号を含む個人別情報を前記通信ネットワークを介して前記商品情報管理サーバーに送信する手段を有し、前記商品情報管理サーバーは、前記携帯電話から前記通信ネットワークを介して送信されてくる前記商品情報及び個人別情報を収集するとともに商品情報データベースに蓄積して登録する手段と、前記商品情報データベースに蓄積された前記商品情報及び個人別情報に基づいて前記キャンペーンの期間中に顧客が購入した商品が規定量を超えたか否かを判定するとともに、前記規定量を超えたと判定した顧客で且つキャンペーン参加の意志を確認するメール情報に基づいて前記意志を確認した顧客を対象として自動抽選を実施する手段とを有することによって達成される。
【０００９】
また本発明の上記目的は、方法の発明に関しては、電子マネーが組み込まれこの電子マネーにより自動販売機から商品を購入するとともに前記商品の購入によって獲得されるキャンペーン応募資格に基づいてキャンペーンに申込むことのできる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに前記携帯電話より受けた申込みに基づいて自動抽選を実施する商品情報管理サーバーを有する商品情報管理システムとを備えた携帯電話による消費者キャンペーン自動応募システムにおいて、前記携帯電話が前記自動販売機より商品を購入すると同時に、購入された商品の量を含む商品情報と顧客の電話番号を含む個人別情報を前記通信ネットワークを介して前記商品情報管理サーバーへ送信し、前記商品情報管理サーバーは前記携帯電話から送信された前記商品情報及び個人別情報を収集し、前記商品情報データベースに蓄積して登録し、前記商品情報管理サーバーは、前記商品情報データベースに蓄積された前記商品情報及び個人別情報に基づいて、キャンペーン期間中に規定数まで商品を購入した顧客を前記キャンペーン応募資格の獲得者として判定するとともに、前記応募資格の獲得者として判定した顧客の携帯電話に、キャンペーン応募資格獲得の連絡をメール情報によって送信し、前記キャンペーン応募資格獲得メールを受け取った前記携帯電話がキャンペーン応募メールを返信し、前記キャンペーン応募メールを受信した顧客を対象として前記商品情報管理サーバーが自動抽選を行い、前記商品情報管理サーバーが前記自動抽選の結果としてのキャンペーンの当選・落選の連絡をメール情報にて前記携帯電話に送信することによって達成される。
【００１０】
また本発明の上記目的は、方法の発明に関しては、電子マネーが組み込まれこの電子マネーにより自動販売機から商品を購入するとともに前記商品の購入によって獲得されるキャンペーン応募資格に基づいてキャンペーンに応募することのできる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに前記携帯電話より受けた申込みに基づいて自動抽選を実施する商品情報管理サーバーを有する商品情報管理システムと、前記携帯電話を用いて前記電子マネーにより購入された商品の購入代金の決済を行う決済機関とを備えた携帯電話による消費者キャンペーン自動応募システムにおいて、前記携帯電話が自動販売機より商品を購入すると、購入された商品の決済情報、前記購入された商品の量を含む商品情報及び顧客の電話番号を含む個人別情報を前記決済機関へ送信し、前記決済機関は、前記商品情報及び個人別情報を前記商品情報管理サーバーへ送信し、前記商品情報管理サーバーは、前記決済機関から送信された前記商品情報及び個人別情報を収集し、前記商品情報データベースに蓄積して登録し、前記商品情報管理サーバーは、前記商品情報データベースに蓄積された前記商品情報及び個人別情報に基づいて、キャンペーン期間中に商品購入量が規定数を超えた顧客を前記キャンペーン応募資格の獲得者として判定するとともに、前記応募資格の獲得者として判定した顧客の携帯電話に、キャンペーン応募資格獲得の連絡をメール情報によって送信し、前記キャンペーン応募資格獲得メールを受け取った前記携帯電話がキャンペーン応募メールを返信し、前記キャンペーン応募メールを受信した顧客を対象として前記商品情報管理サーバーが自動抽選を行い、前記商品情報管理サーバーが前記自動抽選の結果としてのキャンペーンの当選・落選の連絡をメール情報にて顧客の携帯電話に送信することによって達成される。
【００１１】
また本発明の上記目的は、方法の発明に関しては、電子マネーが組み込まれこの電子マネーにより自動販売機から商品を購入するとともに前記商品の購入によって獲得されるキャンペーン応募資格に基づいてキャンペーンに自動応募することのできる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに前記携帯電話より受けた申込みに基づいて自動抽選を実施する商品情報管理サーバーを有する商品情報管理システムと、前記携帯電話を用いて前記電子マネーにより購入された商品の購入代金の決済を行う決済機関とを備えた携帯電話による消費者キャンペーン自動応募システムにおいて、前記携帯電話が前記自動販売機よりキャンペーン対象商品を購入し、前記キャンペーン対象商品を購入した前記携帯電話が前記キャンペーン対象商品の量を含む商品情報及び顧客の電話番号を含む個人別情報を前記決済機関へ送信し、前記商品情報及び個人別情報を受信した前記決済機関は前記商品情報及び前記個人別情報を収集した後、前記商品情報管理サーバーへ商品情報及び個人別情報を送信し、前記商品情報管理サーバーは、前記決済機関から送信された商品情報及び個人別情報を収集し、前記商品情報データベースに蓄積して登録し、前記商品情報管理サーバーは、前記商品情報データベースに蓄積された前記商品情報及び個人別情報に基づいて、前記携帯電話が購入した商品の購入量が規定数を超えたか否かを判定し、前記規定数を超えると自動的にキャンペーン応募を完了して前記携帯電話より受けた申込みに基づいて自動抽選を実施し、前記商品情報管理サーバーが前記自動抽選の結果としてのキャンペーンの当選・落選の連絡をメール情報にて前記携帯電話に送信することによって達成される。
【００１２】
また本発明の上記目的は、方法の発明に関しては、電子マネーが組み込まれこの電子マネーにより自動販売機から商品を購入できる携帯電話と、前記携帯電話からの信号を受けて所望の商品を払い出す自動販売機と、前記携帯電話から通信ネットワークを介して送信されてくる商品情報及び個人別情報を収集し、商品情報データベースに蓄積して登録するとともに蓄積された前記商品情報及び個人別情報に基づいて自動抽選を実施する商品情報管理サーバーを有する商品情報管理システムとを備えた携帯電話による消費者キャンペーン自動応募システムにおいて、前記商品情報管理システムは前記携帯電話が前記自動販売機より商品を購入する前に、前記携帯電話の所有者のキャンペーンに応募する意志に関するキャンペーン応募情報を事前に前記商品情報管理システムに登録し、前記携帯電話が前記自動販売機より商品を購入すると同時に、購入された商品の量を含む商品情報及び顧客の電話番号を含む個人別情報を前記商品情報管理サーバーへ送信し、前記商品情報管理サーバーは送信された商品別販売データである顧客別購入情報を収集し、前記商品情報データベースに蓄積して登録し、前記商品情報管理サーバーは、前記商品情報データベースに蓄積された前記商品情報及び個人別情報に基づいて、前記携帯電話が購入した商品の購入量が規定数を超えたか否かを判定し、前記規定数を超えると自動的にキャンペーン応募を完了するとともに自動抽選を実施し、前記商品情報管理サーバーは前記抽選の結果としてのキャンペーンの当選・落選の連絡をメール情報にて前記携帯電話に送信することによって達成される。
【００１３】
また本発明の上記目的は、電子マネーが組み込まれこの電子マネーにより自動販売機から商品を購入できる携帯電話と、前記携帯電話からの信号を受けて所望の商品を払い出す自動販売機と、前記携帯電話からのキャンペーンへの応募に必要な応募ソフトを備え、前記自動販売機又は前記携帯電話から通信ネットワークを介して送信されてくる商品情報および個人別情報を収集、蓄積して管理するとともに蓄積された前記商品情報および個人別情報に基づいて自動抽選を実施する商品情報管理システムとを備えた携帯電話による消費者キャンペーン自動応募システムにおいて、前記商品情報管理システムは前記携帯電話が前記自動販売機より商品を購入する前に、前記携帯電話の所有者のキャンペーンに応募する意志に関するキャンペーン応募情報を事前に前記商品情報管理システムに登録し、前記携帯電話は前記商品情報管理システムから前記キャンペーン応募ソフトをダウンロードして、商品購入の度に前記キャンペーン応募ソフトに商品販売データを蓄積し、前記商品情報管理システムは前記携帯電話が購入した商品の購入量が規定数を越えると自動的にキャンペーン応募が完了するとともに自動抽選を実施し、前記商品情報管理システムは前記自動抽選の結果としてのキャンペーンの当選・落選の連絡をメール情報にて前記携帯電話に返信することを特徴とする、携帯電話による消費者キャンペーン自動応募方法を提供することによって、より効果的に達成される。
【００１４】
【発明の実施の態様】
以下、本発明の実施の形態を図面を参照して説明する。
【００１５】
図１は、本発明に係る携帯電話による消費者キャンペーン自動応募方法の全体構成の一例を示している。図１において１１１は顧客１１が携帯している携帯電話である。この携帯電話には、貨幣価値を電子的な信号に置き換えた電子マネーが組み込まれているので、電子財布としての役目を果たすことができる。その結果現金財布やクレジットカードを持参していなくても、携帯電話を使用して自動販売機から商品を購入でき、且つ購入した商品の情報（商品の種類、本数、個数、量）や個人別情報（顧客の電話番号等）を通信にて管理情報システム１４へ送信することができる。
【００１６】
１２は商品の一例である飲料品を販売する自動販売機で、前記携帯電話１１１からの通信信号を受けて所望の商品を払い出すためのソフトが設けられているとともに、払い出された商品の情報（商品の種類、本数、個数、量）を通信にて商品情報管理システム１４へ送信するための機能も付加されている。なお自動販売機１２で販売される商品は飲料品に限るものではなく、タバコ、書籍等自動販売機１２で販売されるすべての商品を含むものである。
【００１７】
１３は前記携帯電話１１１とキャンペーン事務局が管理する商品情報管理システム１４の管理情報サーバー１４１とを連結する通信ネットワークである。この通信ネットワーク１３は、インターネット、公衆回線を介したパソコ通信網、その他任意の有線または無線を使ったネットワークを利用することができる。
【００１８】
１４は前記自動販売機１２から払い出された商品の情報（商品の種類、本数、個数、量）を管理する商品情報管理システムである。この商品情報管理システム１４はプロバイダーとしての機能を有しており、前記携帯電話１１１あるいは自動販売機１２から送信されてくる前記商品の情報（商品の種類、本数、個数、量）や、前記携帯電話への情報の伝達等を制御する商品情報管理サーバー１４１と、前記自動販売機１２からの商品の情報（商品の種類、本数、個数、量）や個人別情報（顧客の電話番号）を格納、蓄積する商品情報データベース１４２，１４３、１４４から構成され、キャンペーン事務局で管理している。
【００１９】
この商品情報管理システム１４の構成要素である商品情報管理サーバー１４１は、本発明の消費者キャンペーン自動応募方法の重要な構成要素となる情報処理装置であり、1台もしくは複数台のコンピュータで構成され、前記顧客１１が携帯電話１１１を使用して自動販売機１２から購入した商品の情報（商品の種類、本数、個数、量）及び個人別情報（顧客の電話番号等）を前記顧客１１の携帯電話１１１あるいは自動販売機１２から受信して収集し、商品情報データベース１４２、１４３、１４４に蓄積して登録する。
【００２０】
このような構成のキャンペーン自動応募システムについて説明する。先ず図１に示されるように、顧客１１は電子マネーが組み込まれている携帯電話１１１を使用して所要の飲用食品である商品を購入するために自動販売機１２へ向けて送信する。この携帯電話１１１から送信を受けた自動販売機１２は所要の商品を払い出す。商品を購入した顧客１１は携帯電話１１１を使用して購入した商品情報（商品の種類、本数、個数、量）及び個人別情報（顧客の電話番号）を、キャンペーン事務局が管理している商品情報管理システム１４の商品情報管理サーバー１４１へ送信する。また払い出された商品情報（商品の種類、本数、個数、量）を通信にて商品管理情報システム１４へ送信するための機能も自動販売機１２に付加されており、この機能により、商品情報（商品の種類、本数、個数、量）が、自動販売機１２より商品情報管理システム１４の商品情報管理サーバー１４１へ送信される。
【００２１】
商品の情報（商品の種類、本数、個数、量）や個人別情報（顧客の電話番号）を送信された商品管理システム１４の商品情報管理サーバ１４１は、商品情報データベース１４２，１４３，１４４で商品情報（商品の種類、本数、個数、量）や個人別情報（顧客の電話番号等）を格納、蓄積させる。前記顧客１１が自動販売機１２から漸次商品を買い増した商品情報及び個人別情報は、前記商品情報データベース１４２、１４３、１４４に格納、蓄積される。キャンペーン期間中に商品が規定量を越えたときは、商品情報管理サーバー１４１が規定量を超えた顧客１１の携帯電話１１１へキャンペーン応募資格獲得を送信する。
【００２２】
図２は携帯電話による消費者キャンペーン自動応募方法を説明するフローチャートである。
【００２３】
先ずステップ２１において、顧客１１は電子マネーが組み込まれている携帯電話１１１を使用して飲用食品である商品を所要数購入するために自動販売機１２へ向けて送信する。この携帯電話１１１から送信を受けた自動販売機１２は、ステップ２２において電子マネーを受け入れ所要の商品を払い出す。商品を購入した顧客１１はステップ２３において、携帯電話１１１を使用して購入した商品の情報（商品の種類、本数、個数、量）及び個人情報（顧客の電話番号）を、キャンペーン事務局が管理している商品情報管理システム１４の商品情報管理サーバー１４１へ送信する。また払い出された商品の情報（商品の種類、本数、個数、量）を通信にて商品管理情報システム１４へ送信するための機能も自動販売機１２に付加されており、この機能により、商品の情報（商品の種類、本数、個数、量）が、自動販売機１２より商品情報管理システム１４の商品情報管理サーバー１４１へ送信される。
【００２４】
商品の情報（商品の種類、本数、個数、量）や個人別情報（顧客の電話番号）を送信された商品管理システム１４の商品情報管理サーバ１４１は、ステップ２４において商品情報データベース１４２，１４３，１４４で商品の情報（商品の種類、本数、個数、量）や個人別情報（顧客の電話番号等）を格納、蓄積させる。前記顧客１１が自動販売機１２から漸次商品を買い増した商品情報及び個人別情報は、前記商品情報データベース１４２、１４３、１４４に格納、蓄積される。キャンペーン期間中にステップ２５において商品が規定量を越えたときは、商品情報管理サーバー１４１が規定量を超えた顧客１１の携帯電話１１１へキャンペーン応募資格獲得を送信し、ステップ２６においてキャンペーン参加の意志を確認する。
【００２５】
ステップ２７においてキャンペーン応募の意志を表明した顧客１１に対して自動抽選を実施し、その当落の結果をステップ２８において顧客１１の携帯電話１１１へ送信する。またステップ２７においてキャンペーンに不参加を表明した顧客の個人別情報（電話番号等）及び商品情報（商品の種類、本数、個数、量）は、ステップ２９において前記商品情報データベース１４２，１４３，１４４で次回キャンペーンの参考データとして蓄積される。
【００２６】
図３は携帯電話による消費者キャンペーン自動応募方法の他の実施例を説明するフローチャートで、自動販売機１２と商品情報管理システムとの間に決済機関が介在したものである。。
【００２７】
先ずステップ３１において、顧客１１は電子マネーが組み込まれている携帯電話１１１を使用して飲用食品である商品を所要数購入するために自動販売機１２へ向けて送信する。この携帯電話１１１から送信を受けた自動販売機１２は、ステップ３２において電子マネーを受け入れ所要の商品を払い出す。商品を購入した顧客１１は、携帯電話１１１を使用して購入した商品情報（商品の種類、本数、個数、量）及び個人別情報（顧客の電話番号）を、銀行、カード会社等の決済機関へ送信する。前記個人別情報及び商品情報を受信した決済機関は、ステップ３３において電子マネーの回収と前記個人別情報及び商品情報の収集を行った後、キャンペーン事務局が管理している商品情報管理システム１４の商品情報管理サーバー１４１へ前記個人別情報及び商品の情報を送信する。また払い出された商品の情報（商品の種類、本数、個数、量）を通信にて商品管理情報システム１４へ送信するための機能も自動販売機１２に付加されており、この機能により、商品の情報（商品の種類、本数、個数、量）が、自動販売機１２より商品情報管理システム１４の商品情報管理サーバー１４１へ送信される。
【００２８】
商品の情報（商品の種類、本数、個数、量）や個人別情報（顧客の電話番号）を送信された商品管理システム１４の商品情報管理サーバ１４１は、商品情報データベース１４２，１４３，１４４で商品の情報（商品の種類、本数、個数、量）や個人別情報（顧客の電話番号等）をステップ３４において格納、蓄積させる。前記顧客１１が自動販売機１２から漸次商品を買い増した商品情報及び個人別情報は、前記商品情報データベース１４２、１４３、１４４に格納、蓄積される。キャンペーン期間中にステップ３５において商品が規定量を越えたときは、商品情報管理サーバー１４１が規定量を超えた顧客１１の携帯電話１１１へキャンペーン応募資格獲得を送信し、ステップ３６においてキャンペーン参加の意志を確認する。
【００２９】
ステップ３７においてキャンペーン応募の意志を表明した顧客１１に対して自動抽選を実施し、その当落の結果をステップ３８において顧客１１の携帯電話１１１へ送信する。またステップ３７においてキャンペーンに不参加を表明した顧客の個人別情報（電話番号等）及び商品の情報（商品の種類、本数、個数、量）は、ステップ３９において前記商品情報データベース１４２，１４３，１４４で次回キャンペーンの参考データとして蓄積される。
【００３０】
図４は携帯電話による消費者キャンペーン自動応募方法の他の実施例を説明するフローチャートで、自動販売機１２と決済機関との間にキャンペーン応募の意志を確認したものである。
【００３１】
先ずステップ４１において、顧客１１は電子マネーが組み込まれている携帯電話１１１を使用して飲用食品である商品を所要数購入するために自動販売機１２へ向けて送信する。この携帯電話１１１から送信を受けた自動販売機１２は、ステップ４２において電子マネーを受け入れ所要の商品を払い出す。購入した商品がキャンペーン対象商品である場合（ステップ４３）にキャンペーン応募資格が生じキャンペーン応募の意志を有する顧客１１（ステップ４５）は、携帯電話１１１を使用して購入した商品の情報（商品の種類、本数、個数、量）及び個人情報（顧客の電話番号）を、銀行、カード会社等の決済機関へ送信する。前記個人別情報及び商品情報を受信した決済機関は、ステップ４７において電子マネーの回収と前記個人別情報及び商品情報の収集を行った後、キャンペーン事務局が管理している商品情報管理システム１４の商品情報管理サーバー１４１へ前記個人別情報及び商品情報を送信する。また払い出された商品情報（商品の種類、本数、個数、量）を通信にて商品管理情報システム１４へ送信するための機能も自動販売機１２に付加されており、この機能により、商品情報（商品の種類、本数、個数、量）が、自動販売機１２より商品情報管理システム１４の商品情報管理サーバー１４１へ送信される。ステップ４３においてキャンペーン対象商品でない商品を購入した顧客１１はキャンペーンに不参加となり、ステップ４５においてキャンペーン応募の意志がない顧客１１はキャンペーン応募を放棄したものとなる。
【００３２】
商品の情報（商品の種類、本数、個数、量）や個人別情報（顧客の電話番号）を送信された商品管理システム１４の商品情報管理サーバ１４１は、商品情報データベース１４２，１４３，１４４で商品の情報（商品の種類、本数、個数、量）や個人別情報（顧客の電話番号等）をステップ４８において格納、蓄積させる。前記顧客１１が自動販売機１２から漸次商品を買い増した商品情報及び個人別情報は、前記商品情報データベース１４２、１４３、１４４に格納、蓄積される。キャンペーン期間中にステップ４９において商品が規定量を越えたときは、商品情報管理サーバー１４１が規定量を超えた顧客１１の携帯電話１１１へステップ５０においてキャンペーン応募の意志を表明した顧客１１に対して自動抽選を実施し、その当落の結果をステップ５０において顧客１１の携帯電話１１１へ送信する。
【００３３】
図５は携帯電話による消費者キャンペーン自動応募方法の他の実施例を説明するフローチャートで、自動販売機１２で商品を購入する前にキャンペーン参加の申し込みをしたものである。
【００３４】
先ずステップ６１において、顧客１１は自動販売機１２から商品を購入前にキャンペーン事務局に対しキャンペーンに参加申し込みを行う。キャンペーン参加申し込みを受けたキャンペーン事務局は顧客１１のキャンペーン参加の申し込みを受付け、ステップ６２においてキャンペーン応募ソフトを顧客１１の携帯電話にダウンロードする。顧客１１はダウンロードされたキャンペーン応募ソフトをステップ６３において顧客１１の携帯電話に蓄積する。ステップ６４において電子マネーが組み込まれている携帯電話１１１を使用して飲用食品である商品を所要数購入するために自動販売機１２へ向けて送信する。
【００３５】
この携帯電話１１１から送信を受けた自動販売機１２は、ステップ６５において電子マネーをを受け入れ所要の商品を払い出す。購入したキャンペーン対象商品がステップ６６において規程量到達してキャンペーン応募資格が獲得されたら、顧客１１は携帯電話１１１を使用してステップ６７においてキャンペーン事務局へキャンペーン参加の自動申込みを行う。自動申込みを受けたキャンペーン事務局は、ステップ６８において自動抽選を実施し顧客１１に対し当落のお知らせメールを発信する。
【００３６】
【発明の効果】
以上説明したように、本発明は、上記のような構成であるので、従来消費者キャンペーンに応募する場合、販売されたキャンペーン対象商品に貼付されているシールを収集し、別途応募台紙に貼り付けるという作業があったが、本発明では、商品が購入された時点でそのデータが収集されるため、応募の際の特別な作業が大幅に軽減されるとともに、応募用紙への必要事項記入等のわずらしさを嫌いキャンペーン応募をしなかった顧客の開拓も可能となるという効果がある。
【００３７】
またキャンペーン事務局においては、回収された応募用紙の集計・分析及び当選者選別作業に人的・時間的コストをかけていたが、本発明では、この一連の作業を必要としないため上記コストが大幅に削減されるという効果がある。
【００３８】
さらに従来の消費者キャンペーンの告知媒体はテレビコマーシャルやポスター等に限定されていたが、本発明ではキャンペーン応募履歴を作成することにより、携帯電話を用いた顧客を特定できるので、その特定の顧客を対象に宣伝でき、不特定の人を対象としたテレビ・ラジオ等のコマーシャルやポスターに比較して確実にかつ廉価に宣伝できるという効果があるとともに、キャンペーン応募と同時にアンケートの実施も容易になるという効果もある。
【図面の簡単な説明】
【図１】本発明の実施の形態に係る携帯電話による消費者キャンペーン自動応募システムの説明図。
【図２】本発明の実施の形態に係る携帯電話による消費者キャンペーン自動応募方法の説明図。。
【図３】本発明の実施の形態に係る携帯電話による消費者キャンペーン自動応募方法の他の実施例の説明図。
【図４】本発明の実施の形態に係る携帯電話による消費者キャンペーン自動応募方法の他の実施例の説明図。
【図５】本発明の実施の形態に係る携帯電話による消費者キャンペーン自動応募方法の他の実施例の説明図。
【符号の説明】
１１    顧客
１１１  携帯電話
１２    自動販売機
１３    通信ネットワーク
１４    商品情報管理システム
１４１  商品情報管理サーバー
１４２  商品情報デ−タベース
１４３  商品情報データベース
１４４  商品情報データベース
【図１】
0003650573.tif 000002
【図２】
0003650573.tif 000003
【図３】
0003650573.tif 000004
【図４】
0003650573.tif 000005
【図５】
0003650573.tif 000006